(57)【要約】【課題】部分配光に適した光源モジュール及び照明器具を提供する。【解決手段】実施形態によれば、支持体と、カバーと、を備えた光源モジュールが提供される。前記支持体は、光源が設けられた基板を支持する。前記カバーは、内部に空間を有し、前記空間に前記光源の光を照射可能に、前記支持体に取り付けられる。前記カバーは、互いに対向するように設けられた第１、第２の側壁を有し、前記第１の側壁は光透過性を有し、前記第２の側壁は前記第１の側壁より光透過性が低くなるように構成される。前記第１、第２の側壁は前記基板から離れるにつれて、それら側壁間の幅が減少する第１曲部をそれぞれ有し、それぞれの前記第１曲部は前記空間方向に凹む曲面形状である。【選択図】図１
2016181410.tif 000002
【特許請求の範囲】
【請求項１】
光源が設けられた基板を支持する支持体と；
内部に空間を有し、前記空間に前記光源の光を照射可能に、前記支持体に取り付けられるカバーと；を備え、
前記カバーは、互いに対向するように設けられた第１、第２の側壁を有し、前記第１の側壁は光透過性を有し、前記第２の側壁は前記第１の側壁より光透過性が低くなるように構成され、
前記第１、第２の側壁は前記基板から離れるにつれて、それら側壁間の幅が減少する第１曲部をそれぞれ有し、それぞれの前記第１曲部は前記空間方向に凹む曲面形状である光源モジュール。
【請求項２】
前記第１、第２の側壁は、前記基板の中心を通り、かつ前記光源の実装面の垂線に対して対称に設けられている請求項１記載の光源モジュール。
【請求項３】
前記第２の側壁は、光反射性または光吸収性を有する請求項１または２記載の光源モジュール。
【請求項４】
前記カバーは、前記第２の側壁の前記第１曲部の内壁面に凸部を有する請求項１〜３のいずれか１つに記載の光源モジュール。
【請求項５】
請求項１〜４のいずれか１つに記載の光源モジュールと；
前記光源モジュールを取り付ける器具本体と；
を備えた照明器具。
【発明の詳細な説明】
【技術分野】
【０００１】
本発明の実施形態は、光源モジュール及び照明器具に関する。
【背景技術】
【０００２】
天井に取り付けられて室内を照明する照明器具がある。照明器具は、光源モジュールと、この光源モジュールを収容する器具本体と、を有する。光源モジュールは、金具等を用いて器具本体に着脱自在に取り付けられる。このような照明器具において、光源モジュールの配光を特殊なもの、例えばカバー全体ではなく、カバーの特定の部分から光を出射させる配光、いわゆる部分配光にすることが望まれる場合がある。部分配光としては、例えば長尺なカバー全体のうち、その長手方向に垂直な断面においてカバーの出光領域を約半分に分けたときに、主として一方の領域からのみ光を得る片側配光などがある。
【先行技術文献】
【特許文献】
【０００３】
【特許文献１】特開２０１４−７８４２６号公報
【発明の概要】
【発明が解決しようとする課題】
【０００４】
本発明の実施形態は、部分配光に適した光源モジュール及び照明器具を提供する。
【課題を解決するための手段】
【０００５】
本発明の実施形態によれば、支持体と、カバーと、を備えた光源モジュールが提供される。前記支持体は、光源が設けられた基板を支持する。前記カバーは、内部に空間を有し、前記空間に前記光源の光を照射可能に、前記支持体に取り付けられる。前記カバーは、互いに対向するように設けられた第１、第２の側壁を有し、前記第１の側壁は光透過性を有し、前記第２の側壁は前記第１の側壁より光透過性が低くなるように構成される。前記第１、第２の側壁は前記基板から離れるにつれて、それら側壁間の幅が減少する第１曲部をそれぞれ有し、それぞれの前記第１曲部は前記空間方向に凹む曲面形状である。
【発明の効果】
【０００６】
本発明の実施形態によれば、部分配光に適した光源モジュール及び照明器具を提供することができる。
【図面の簡単な説明】
【０００７】
【図１】本実施形態の照明器具の模式的斜視図である。
【図２】本実施形態の照明器具の一部の模式的斜視図である。
【図３】図３（ａ）及び図３（ｂ）は、本実施形態の照明器具の一部の模式的斜視図である。
【図４】本実施形態の照明器具の一部の模式的分解斜視図である。
【図５】本実施形態の照明器具の内部を示す図である。
【図６】図６（ａ）〜図６（ｃ）は、光源モジュールと器具本体との取り付けを説明する図である。
【発明を実施するための形態】
【０００８】
実施形態に係る発明は、光源が設けられた基板を支持する支持体と；内部に空間を有し、前記空間に前記光源の光を照射可能に、前記支持体に取り付けられるカバーと；を備え、前記カバーは、互いに対向するように設けられた第１、第２の側壁を有し、前記第１の側壁は光透過性を有し、前記第２の側壁は前記第１の側壁より光透過性が低くなるように構成され、前記第１、第２の側壁は前記基板から離れるにつれて、それら側壁間の幅が減少する第１曲部をそれぞれ有し、それぞれの前記第１曲部は前記空間方向に凹む曲面形状である光源モジュールである。
【０００９】
また、前記第１、第２の側壁は、前記基板の中心を通り、かつ前記光源の実装面の垂線に対して対称に設けられている光源モジュールである。
【００１０】
また、前記第２の側壁は、光反射性または光吸収性を有する光源モジュールである。
【００１１】
また、前記カバーは、前記第２の側壁の前記第１曲部の内壁面に凸部を有する光源モジュールである。
【００１２】
また、請求項１から４のいずれか１つに記載の光源モジュールと；前記光源モジュールを取り付ける器具本体と；を備えた照明器具である。
【００１３】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１４】
（本実施形態）
図１は、本実施形態の照明器具の模式的斜視図である。
図２は、本実施形態の照明器具の一部の模式的斜視図である。
図３（ａ）及び図３（ｂ）は、本実施形態の照明器具の一部の模式的斜視図である。
図４は、本実施形態の照明器具の一部の模式的分解斜視図である。
図２は、器具本体１０を取り外した状態を示している。図３（ａ）及び図３（ｂ）は、光源モジュール２０を取り外した状態を示している。図４は、図３（ａ）の光源モジュール２０の分解斜視図である。
【００１５】
図１に表すように、照明器具１００は、器具本体１０と、光源モジュール２０と、を備える。照明器具１００は、光源モジュール２０を下方に向けた状態で室内の天井面に取り付けられる。器具本体１０がネジ等によって天井面に取り付けられる。器具本体１０は、光源モジュール２０の支持に用いられるとともに、天井などの取付対象への照明器具１００の取り付けに用いられる。照明器具１００は、室内に光を照射する。なお、照明器具１００は、天井面に限ることなく、例えば、壁面などに取り付けても良い。また、複数の照明器具１００を連結させても良い。
【００１６】
また、本実施形態の照明器具１００は、光源モジュール２０の一方側（片側）から選択的に光を透過させる構造を有する。つまり、本実施形態の照明器具１００は、片側配光（部分配光）型の照明器具である。このような片側配光型の照明器具は、例えば、片反射器具、ウォールウォッシャー器具、又は、コーナー灯器具等であって、局所的な配光を必要する場所に用いられる。
【００１７】
図２に表すように、器具本体１０は、筐体１１と、取付金具１２と、電源回路１３と、電源端子台１４と、調光端子台１５と、を備える。
【００１８】
筐体１１は、光源モジュール２０の一部を収容するための凹部１１ａを有する。また、筐体１１には、照明器具１００を天井面などに取り付けるための金具（例えば、ネジ）や電源回路１３に電力を供給する電源ケーブルなどを通すための複数の開口が設けられる。
【００１９】
筐体１１には、鉄、アルミニウム、または、ステンレスなどの金属材料が用いられる。筐体１１に金属材料を用いることにより、器具本体１０の耐久性を高めることができる。筐体１１には、樹脂材料を用いても良い。例えば、筐体１１には、光源モジュール２０内の光源２６から照射された光を反射する光反射性を有しても良い。
【００２０】
取付金具１２は、ネジ止めなどにより、筐体１１の凹部１１ａ内に取り付けられる。取付金具１２は、光源モジュール２０の保持部材２３に設けられた弾性体４０と掛止し、筐体１１の凹部１１ａから抜ける方向への移動を規制する。取付金具１２には、筐体１１と同様の金属材料が用いられる。器具本体１０には、保持部材２３に対応して複数の取付金具１２が設けられる。この例では、２つの取付金具１２が設けられる。取付金具１２の数は、任意で良い。取付金具１２の数は、１つでも良いし、３つ以上でも良い。取付金具１２の形状等は、後に詳細に説明する。
【００２１】
電源回路１３は、外部から供給される電力を光源モジュール２０に対応した電圧または電流に変換して、光源モジュール２０に供給する。光源モジュール２０は、電源回路１３からの電力供給に応じて光源２６を点灯させ、光を照射する。電源回路１３は、照明器具１００とは別に設けても良い。
【００２２】
電源端子台１４は、外部の電源と電源回路１３との間の電気的な接続や、電源回路１３と各光源２６との間の電気的な接続に用いられる。
調光端子台１５は、外部端子と、照明器具１００に設けれられた調光回路（図示せず）との間の電気的な接続に用いられ、光源モジュール２０内の光源２６からの光を調節する。
電源回路１３、電源端子台１４及び調光端子台１５は、ネジ止めなどにより、筐体１１の凹部１１ａ内に取り付けられる。
【００２３】
図３及び図４に表すように、光源モジュール２０は、支持体２１と、カバー２２と、保持部材２３と、側板２４と、基板２５と、光源２６と、を備える。支持体２１は、第１面２１ａと、第１面２１ａと反対側の第２面２１ｂと、を有する。基板２５は、第１面２５ａと、第１面２５ａと反対側の第２面２５ｂと、を有する。
【００２４】
支持体２１は、光源２６が設けられた基板２５を支持する。支持体２１の第１面２１ａと、基板２５の第２面２５ｂと、が対向するように、支持体２１は、基板２５を支持する。基板２５は、接着などによって支持体２１に固定しても良い。また、基板２５は、ネジ止めや板バネなどによって着脱可能に支持体２１に取り付けても良い。支持体２１は、基板２５を着脱可能に支持しても良い。側板２４の取り付け方向から見た支持体２１の形状は、略Ｕ字状である。
【００２５】
カバー２２は、支持体２１に固定するように取り付けられ、内部空間に基板２５に設けられた光源２６の光が出射されるように、支持体２１上の光源２６を覆う。外力や塵埃などから光源２６を保護する。カバー２２は、光透過性を有する光透過部２２ａと、光透過部２２ａの光透過率より低い非光透過部２２ｂと、を有する。光透過部２２ａは、光源２６の放出する光に対して光透過性を有する。非光透過部２２ｂの光取り出し率は、光透過部２２ａから取り出される光取り出し率より低い。非光透過部２２ｂは、光源２６の放出する光に対して非光透過性である。例えば、非光透過部２２ｂは、光反射性または光吸収性を有しても良い。
【００２６】
カバー２２は、例えば、ポリカーボネート（ＰＣ）樹脂、ポリブチレンテレフタレート（ＰＢＴ）樹脂、または、ポリアミド（ＰＡ）樹脂等を用いて形成される。光透過部２２ａは、光透過性の樹脂材料が用いられる。光透過部２２ａは、例えば、乳白色で拡散性を有するポリカーボネート（ＰＣ）樹脂を含む。また、非光透過部２２ｂは、非光透過性の樹脂材料が用いられる。非光透過部２２ｂは、例えば、ポリカーボネート（ＰＣ）等の樹脂に不透過材と高反射材を混合することで光反射性を有することができる。非光透過部２２ｂは、カバー２２の内側（例えば、内壁面２２ｅ）に銀又はアルミニウム等のシートを設けることで光反射性としてもよい。光透過部２２ａと非光透過部２２ｂを同じ材料をベースとした場合、二色成形により、それらを一体的に構成することができる。
カバー２２の形状については、後に詳細に説明する。
【００２７】
保持部材２３は、カバー２２を支持体２１に保持する。つまり、保持部材２３は、カバー２２を支持体２１から外れないようにする。光源モジュール２０には、複数の保持部材２３が設けられる。複数の保持部材２３は、支持体２１の第２面２１ｂに設けられる。この例では、２つの保持部材２３が設けられる。保持部材２３の数は、任意で良い。保持部材２３の数は、１つでも良いし、３つ以上でも良い。
【００２８】
保持部材２３には、例えば、鉄、アルミニウム、または、ステンレスなどの金属材料が用いられる。保持部材２３には、例えば、樹脂材料などを用いてもよい。但し、保持部材２３には、上記のような金属材料を用いることが好ましい。これにより、例えば、保持部材２３の耐久性を向上させることができる。また、保持部材２３は、例えば、１枚の板材料から形成される。これにより、例えば、部品点数を削減することができる。例えば、光源モジュール２０のコストを抑えることができる。例えば、保持部材２３に樹脂材料を用いる場合、保持部材２３は、射出成形などによって形成された１つの部品であることが好ましい。
【００２９】
側板２４は、カバー２２の長手方向の両端に設けられている。側板２４の形状は、複数の曲部を有する形状である。例えば、側板２４は、複数のＲ部を有する。また、光透過部２２ａと同様に光透過性である。
【００３０】
基板２５には、光源２６が設けられている。基板２５には、例えば、複数の光源２６が設けられる。各光源２６は、基板２５の第１面２５ａに並べて配置される。光源２６の数は、任意で良い。光源２６の数は、例えば、１つでも良い。
【００３１】
光源２６には、例えば、発光ダイオード（Light Emitting Diode：ＬＥＤ）が用いられる。光源２６は、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、または、その他の電界発光型の発光素子などでも良い。光源２６は、電球などでも良い。
【００３２】
図５は、本実施形態の照明器具の内部を示す図である。
図５は、側板２４側からみた照明器具１００の内部であって、器具本体１０の取付金具１２が光源モジュール２０の保持部材２３に弾性体４０によって取り付けられている状態を示している。
【００３３】
図５に表すように、筐体１１は、例えば、一枚の板金から形成されている。筐体１１は、複数の屈曲部１１ｆを有する。凹部１１ａは、複数の屈曲部１１ｆによって形成される。
【００３４】
保持部材２３は、把持部３０と、固定部３１と、を有する。把持部３０は、固定部３１の両端に設けられる。把持部３０は、支持体２１の一端と、カバー２２と、を挟んで把持する。支持体２１の一端は、湾曲している。
【００３５】
把持部３０は、例えば、板バネ状であり、支持体２１及びカバー２２（屈曲部２２ｄ）を挟むことにより、カバー２２の係合が解除されてしまうことを抑制する。保持部材２３は、把持部３０で挟むことにより、カバー２２の開きを抑制する。このように、保持部材２３は、支持体２１に取り付けられ、カバー２２を支持体２１に保持する。また、把持部３０には、抑え部３０ａが設けられている。抑え部３０ａは、支持体２１の一端とカバー２２とを挟む部分である。
【００３６】
固定部３１には、弾性体４０が設けられている。弾性体４０は、例えば、トーションバネである。弾性体４０は、連結した２つのトーションバネである。弾性体４０の一部（当接部分４０ｃ）が取付金具１２の一部（掛止部１２ａ）に掛止されることで取付金具１２が保持部材２３に取り付けられる。これにより、光源モジュール２０が器具本体１０に取り付けられる。
【００３７】
カバー２２は、平坦状のベース部２２Ａと、曲状の側壁部２２Ｂ（側壁）と、底部２２Ｃと、を有する。ベース部２２Ａ及び側壁部２２Ｂの間には空間Ｓが形成されている。側壁部２２Ｂは、ベース部２２Ａの両端に設けられている。底部２２Ｃは、側壁部２２Ｂの端部であって、ベース部２２Ａが設けられた端部の反対側の端部に設けられている。ベース部２２Ａの中央側は開口している。ベース部２２Ａ上には、空間Ｓに対して逆の方に向かって屈曲部２２ｄが延出している。
【００３８】
側壁部２２Ｂは、第１の側壁２２Ｂ１及び第２の側壁２２Ｂ２を有する。第１の側壁２２Ｂ１及び第２の側壁２２Ｂ２は、互いに対向するように、向かい合って形成されている。例えば、第１の側壁２２Ｂ１は、光透過性を有し、第２の側壁２２Ｂ２は、第１の側壁２２Ｂ１より光透過性が低い。第２の側壁２２Ｂ２は、望ましくは高反射性である。前述したように、カバー２２は、光透過部２２ａ及び非光透過部２２ｂを有し、本実施形態では、第１の側壁２２Ｂ１が光透過部２２ａであって、第２の側壁２２Ｂ２が非光透過部２２ｂである。また、本実施形態では、後述する第１の側壁２２Ｂ１側の第２曲部２２ｃ２、底部２２Ｃも光透過性を有する部分であり、残余の部分は非光透過性の部分としている。
【００３９】
側壁部２２Ｂの形状は、複数の曲部を有する形状である。例えば、側壁部２２Ｂは、複数のＲ部を有する。側壁部２２Ｂは、内側方向に曲がっている第１曲部２２ｃ１と、外側方向に曲がっている第２曲部２２ｃ２と、を有する。第１の側壁２２Ｂ１及び第２の側壁２２Ｂ２は、第１曲部２２ｃ１及び第２曲部２２ｃ２をそれぞれ有する。
【００４０】
第１曲部２２ｃ１は、例えば、基板２５の一方の端部２５ｔから他方の端部２５ｔに向かう方向（基板２５の短手方向）において光源２６に近づくように内側に曲がっている。例えば、第１曲部２２ｃ１は、内Ｒ部である。例えば、第１曲部２２ｃ１は、空間Ｓの方向に凹む曲面形状を有する。例えば、第１曲部２２ｃ１は、内側に凹む湾曲形状を有する。例えば、第１曲部２２ｃ１は、曲がり開始点から曲がり終了点を結んだ直線よりも、空間Ｓの方向に凹むような曲面形状を有する。例えば、第１曲部２２ｃ１は、基板２５の一方の端部２５ｔから他方の端部２５ｔに向かう方向において、カバー２２の底部２２Ｃに向かう（基板２５から離れる）につれて基板２５の中心との距離が近くなるような曲面形状を有する。ここで、基板２５の中心とは、基板２５が矩形状を有する場合、対角線の交点である。
【００４１】
また、第１曲部２２ｃ１は、例えば、カバー２２の底部２２Ｃに向かう（基板２５から離れる）につれてカバー２２の断面の幅を減少させる部分である。例えば、第１曲部２２ｃ１は、第１の側壁２２Ｂ１及び第２の側壁２２Ｂ２間の幅がカバー２２の底部２２Ｃに向かう（基板２５から離れる）につれて減少するように設けられている。例えば、第１の側壁２２Ｂ１及び第２の側壁２２Ｂ２間の幅Ｗは、図５に表すように減少する。
【００４２】
第２曲部２２ｃ２は、例えば、基板２５の一方の端部２５ｔから他方の端部２５ｔに向かう方向（例えば、基板２５の短手方向）において光源２６に遠ざかるように外側に曲がっている。第２曲部２２ｃ２は、例えば、カバー２２の底部２２Ｃから離れる（基板２５に近づく）につれてカバー２２の断面の幅を増加させる部分である。例えば、第２曲部２２ｃ２は、外Ｒ部である。
【００４３】
本実施形態では、カバー２２は、外側方向に曲がっている第２曲部２２ｃ２を有するが、カバー２２に第２曲部２２ｃ２を設けずに角部を設けても良い。つまり、カバー２２において、底部２２Ｃと反対側に第１曲部２２ｃ１と連結する部分は、任意の形状を有することができる。
【００４４】
前述したように、カバー２２は、光透過部２２ａに相当する第１の側壁２２Ｂ１と、非光透過部２２ｂに相当する第２の側壁２２Ｂ２と、を有する。例えば、カバー２２は、断面視において、基板２５の中心を通り、かつ光源２６の実装面の垂線に対して対称な形状を有する。また、例えば、第１の側壁２２Ｂ１及び第２の側壁２２Ｂ２は、基板２５の中心を通り、かつ光源２６の実装面の垂線に対して対称に配置され、第１の側壁２２Ｂ１及び第２の側壁２２Ｂ２は、第１曲部２２ｃ１及び第２曲部２２ｃ２をそれぞれ有している。
【００４５】
内側方向に曲がっている第１曲部２２ｃ１が第１の側壁２２Ｂ１に設けられているので、光源２６からカバー２２の第１の側壁２２Ｂ１までの光の経路を短くすることができる。これにより、第１の側壁２２Ｂ１から光源２６の光を効率良く取り出すことができる。光源モジュール２０から光源２６の光を効率良く取り出すことができる。
【００４６】
例えば、第２の側壁２２Ｂ２が光反射性を有する場合、内側方向に曲がっている第１曲部２２ｃ１が第２の側壁２２Ｂ２に設けられているので、光源２６からの光を効率良く反射することができる。第２の側壁２２Ｂ２は、第１の側壁２２Ｂ１側に光源２６からの光を反射させることができるので、第１の側壁２２Ｂ１から光源２６の光を効率良く取り出すことができる。光源モジュール２０から光源２６の光を効率良く取り出すことができる。
【００４７】
また、第２の側壁２２Ｂ２の第１曲部２２ｃ１に凸部２２ｐを設けることができる。このような凸部２２ｐを設けることで、光源２６からの光を効率良く反射することができる。例えば、凸部２２ｐは、基板２５の長手方向（光源２６の配列方向）に沿って設けられている。
【００４８】
例えば、凸部２２ｐを設けることで、第２の側壁２２Ｂ２の第１曲部２２ｃ１及び第２曲部２２ｃ２によって形成される領域２２Ｒ内に光が入射することを抑制する。光源２６からの光が領域２２Ｒ内に入射すると、光源２６の光が第１の側壁２２Ｂ１側に入射し難くなり、第１の側壁２２Ｂ１からの光の取り出し率が低下する。凸部２２ｐを設けることで、光源２６の光を反射させて領域２２Ｒ内に光が入射することを抑制する。これにより、第１の側壁２２Ｂ１から光源２６の光を効率良く取り出すことができる。光源モジュール２０から光源２６の光を効率良く取り出すことができる。
【００４９】
凸部２２ｐは、例えば、カバー２２の内壁面２２ｅかつ第２の側壁２２Ｂ２の第１曲部２２ｃ１上であって、基板２５の短手方向において基板２５の端部２５ｔと第２の側壁２２Ｂ２の第２曲部２２ｃ２との間に設けることができる。これにより、光源２６の光を反射させて領域２２Ｒ内に光が入射することを抑制する。なお、凸部２２ｐは、端部２５ｔと第２曲部２２ｃ２との間のうち、端部２５ｔに近い側、例えば第１曲部２２ｃ１の内面に形成されていると、さらに望ましい。また、凸部２２ｐは、ベース部２２Ａ近傍まで延出しているのが望ましい。
【００５０】
カバー２２において、第１の側壁２２Ｂ１及び第２の側壁２２Ｂ２が第１曲部２２ｃ１をそれぞれ有するので、第１の側壁２２Ｂ１、すなわちカバー２２の片側から光源２６の光を効率良く取り出すことができる。つまり、照明器具１００において、光源モジュール２０から選択的に光を透過させる部分配光とすることができる。
【００５１】
本実施形態の照明器具１００において、カバー２２の第１の側壁２２Ｂ１及び第２の側壁２２Ｂ２が第１曲部２２ｃ１をそれぞれ有するので、第１の側壁２２Ｂ１側から光源２６の光を効率良く取り出すことができる。また、照明器具１００において、器具本体１０の形状を変えることなく、光源モジュール２０から選択的に光を透過させることができる。照明器具１００は、器具本体１０の形状を変えることなく片側配光型の構造を有するので、照明器具１００の製造コストを削減して照明器具１００のサイズを小さくすることができる。
【００５２】
以下、本実施形態の照明器具１００における光源モジュール２０と器具本体１０との取り付けを説明する。
【００５３】
図６（ａ）〜図６（ｃ）は、光源モジュールと器具本体との取り付けを説明する図である。
なお、図６（ａ）〜図６（ｃ）において、取付金具１２を固定する筐体１１を図示していない。
【００５４】
図６（ａ）に表すように、弾性体４０の先端部分４０ａが取付金具１２の掛止部１２ａに掛止されて固定される。光源モジュール２０が器具本体１０に対して仮吊りの状態となる。仮吊りの状態において、器具本体１０内の配線作業等が行われる。仮吊りの状態から光源モジュール２０に上方向（矢印方向）の力を加えて押し上げる。
【００５５】
図６（ｂ）に表すように、仮吊りの状態から光源モジュール２０に上方向（矢印方向）の力を加えて押し上げると、弾性体４０の挿通部分４０ｂは、取付金具１２の孔１２ｏに入り込む。つまり、弾性体４０は、取付金具１２に挿入される。挿通部分４０ｂは、例えば、湾曲形状を有する。
【００５６】
図６（ｃ）に表すように、図６（ｂ）の状態から光源モジュール２０に上方向の力をさらに加えて押し上げると、挿通部分４０ｂが孔１２ｏに入り込み、弾性体４０の当接部分４０ｃが掛止部１２ａに掛止される。光源モジュール２０が器具本体１０に向かって吸い上がることで、光源モジュール２０は器具本体１０に取り付けられて固定される。
【００５７】
本実施形態によれば、部分配光に適した光源モジュール及び照明器具を提供することができる。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１０…器具本体、  １１…筐体、  １１ａ…凹部、  １１ｆ…屈曲部、  １２…取付金具、  １２ａ…掛止部、  １２ｏ…孔、  １３…電源回路、  １４…電源端子台、  １５…調光端子台、  ２０…光源モジュール、  ２１…支持体、  ２１ａ、２５ａ…第１面、  ２１ｂ、２５ｂ…第２面、  ２２…カバー、  ２２Ａ…ベース部、  ２２Ｂ…側壁部、  ２２Ｂ１…第１の側壁、  ２２Ｂ２…第２の側壁、  ２２Ｃ…底部、  ２２ａ…光透過部、  ２２ｂ…非光透過部、  ２２ｃ１…第１曲部、  ２２ｃ２…第２曲部、  ２２ｄ…屈曲部、  ２２ｅ…内壁面、  ２２ｐ…凸部、  ２２Ｒ…領域、  ２３…保持部材、  ２４…側板、  ２５…基板、  ２５ｔ…端部、  ２６…光源、  ３０…把持部、  ３０ａ…抑え部、  ３１…固定部、  ４０…弾性体、  ４０ａ…先端部分、  ４０ｂ…挿通部分、  ４０ｃ…当接部分、  １００…照明器具、  Ｓ…空間、  Ｗ…幅
【図１】
2016181410.tif 000003
【図２】
2016181410.tif 000004
【図３】
2016181410.tif 000005
【図４】
2016181410.tif 000006
【図５】
2016181410.tif 000007
【図６】
2016181410.tif 000008